(57)【要約】【課題】  ミネラルを含んだミストを放出することができ、しかも、そのミネラルミストをナノメーターサイズの状態で風呂空間に放出する構成としたことで、体内にミネラルミストを効率良く吸収することができ、これにより、発汗を極めて良好に促進できる上に、ミネラルによる秀れた効能を得ることができる、これまでにない、画期的な薬石風呂を提供すること。【解決手段】  床部に岩石１を敷設した風呂空間２にミネラルを含有したミストを放出し得るように構成した薬石風呂であって、岩石１からミネラルを抽出して得たミネラル液に高温，高圧の蒸気を接触させることで前記ミネラルを含有したナノメーターサイズのミストを発生させるミネラルミスト発生機構３を備え、このミネラルミスト発生機構３から発生したナノメーターサイズのミネラルミストを風呂空間２に放出し得るように構成した薬石風呂。【選択図】      図１
2005237826.tif 000002
【特許請求の範囲】
【請求項１】
床部に岩石を敷設した風呂空間にミネラルを含有したミストを放出し得るように構成した薬石風呂であって、岩石からミネラルを抽出して得たミネラル液に高温，高圧の蒸気を接触させることで前記ミネラルを含有したナノメーターサイズのミストを発生させるミネラルミスト発生機構を備え、このミネラルミスト発生機構から発生したナノメーターサイズのミネラルミストを風呂空間に放出し得るように構成したことを特徴とする薬石風呂。
【請求項２】
前記床部に敷設した岩石とは別に備えた岩石からミネラルを抽出して前記ミネラル液を得、このミネラル液に、前記高温，高圧の蒸気を接触させることでミネラルを含有したナノメーターサイズのミストを発生させるように前記ミネラルミスト発生機構を構成したことを特徴とする請求項１記載の薬石風呂。
【請求項３】
前記岩石を有機酸若しくは無機酸に接触させることで、前記岩石からミネラルを抽出して前記ミネラル液を得る構成としたことを特徴とする請求項１，２のいずれか１項に記載の薬石風呂。
【請求項４】
前記岩石を複数種類の岩石で構成し、これら複数種類の岩石を選択して組み合わせて前記有機酸若しくは無機酸に浸すことで、異なるミネラルを含有したミネラル液を得るように構成したことを特徴とする請求項１〜３のいずれか１項に記載の薬石風呂。
【請求項５】
前記風呂空間に、この風呂空間の床部に敷設した岩石を加熱する加熱機構を設けたことを特徴とする請求項１〜４のいずれか１項に記載の薬石風呂。
【請求項６】
前記加熱機構として床暖房を採用したことを特徴とする請求項５記載の薬石風呂。
【請求項７】
前記風呂空間の床部に前記岩石を層状に配設した岩石層を設け、前記岩石層の周囲若しくは前記岩石層内に前記ミネラルミスト発生機構により発生したナノメーターサイズのミネラルミストを風呂空間に放出するミスト放出部を設けたことを特徴とする請求項１〜６のいずれか１項に記載の薬石風呂。
【請求項８】
前記岩石層の上部若しくは内部に、プライオゾーアを含有したアラゴナイト，シリコン及び前記岩石から成る混合物を配設したことを特徴とする請求項７記載の薬石風呂。
【請求項９】
前記風呂空間の床部に敷設した岩石にアース線を付設したことを特徴とする請求項１〜８のいずれか１項に記載の薬石風呂。
【発明の詳細な説明】
【技術分野】
【０００１】
本発明は、ミネラルを含有したミストを放出する薬石風呂に関するものである。
【背景技術】
【０００２】
例えば従来の石風呂は、暖められた岩石に散水することで、この散水した水を岩石の熱によって蒸発させ、この水蒸気によって発汗を促すものである。
【０００３】
ところで、この水を蒸発させる岩石は鉱物の集合体であり、鉱物は人体に良い影響を与えるとされるミネラル（例えば、鉄，カルシウム，マグネシウム，ナトリウム，カリウム等）が豊富に含まれていることが知られている。
【０００４】
【非特許文献１】川田薫著  生き方を創造する生命科学  株式会社たま出版発行
【発明の開示】
【発明が解決しようとする課題】
【０００５】
しかしながら、前記石風呂は、前述のように、暖められた岩石に水を接触させて前記岩石の熱によって水を蒸発させ、この蒸発させた水蒸気の熱によって発汗を促すだけの為、例えば石に含有されているミネラル類を、水蒸気と共に体内に取り入れることは、ほとんど行われていないといえる。
【０００６】
本発明は、ミネラルを含んだミストを放出することができ、また、このミネラルミストをナノメーターサイズの状態で風呂空間に放出する構成としたことで、体内にミネラルミストを効率良く吸収することができ、これにより、発汗を極めて良好に促進できる上に、ミネラルによる秀れた効能を得ることができる、これまでにない画期的な薬石風呂を提供することを目的としている。
【課題を解決するための手段】
【０００７】
添付図面を参照して本発明の要旨を説明する。
【０００８】
床部に岩石１を敷設した風呂空間２にミネラルを含有したミストを放出し得るように構成した薬石風呂であって、岩石１からミネラルを抽出して得たミネラル液に高温，高圧の蒸気を接触させることで前記ミネラルを含有したナノメーターサイズのミストを発生させるミネラルミスト発生機構３を備え、このミネラルミスト発生機構３から発生したナノメーターサイズのミネラルミストを風呂空間２に放出し得るように構成したことを特徴とする薬石風呂に係るものである。
【０００９】
また、前記床部に敷設した岩石１とは別に備えた岩石１からミネラルを抽出して前記ミネラル液を得、このミネラル液に、前記高温，高圧の蒸気を接触させることでミネラルを含有したナノメーターサイズのミストを発生させるように前記ミネラルミスト発生機構３を構成したことを特徴とする請求項１記載の薬石風呂に係るものである。
【００１０】
また、前記岩石１を有機酸若しくは無機酸に接触させることで、前記岩石１からミネラルを抽出して前記ミネラル液を得る構成としたことを特徴とする請求項１，２のいずれか１項に記載の薬石風呂に係るものである。
【００１１】
また、前記岩石１を複数種類の岩石１で構成し、これら複数種類の岩石１を選択して組み合わせて前記有機酸若しくは無機酸に浸すことで、異なるミネラルを含有したミネラル液を得るように構成したことを特徴とする請求項１〜３のいずれか１項に記載の薬石風呂に係るものである。
【００１２】
また、前記風呂空間２に、この風呂空間２の床部に敷設した岩石１を加熱する加熱機構６を設けたことを特徴とする請求項１〜４のいずれか１項に記載の薬石風呂に係るものである。
【００１３】
また、前記加熱機構６として床暖房６を採用したことを特徴とする請求項５記載の薬石風呂に係るものである。
【００１４】
また、前記風呂空間２の床部に前記岩石１を層状に配設した岩石層５を設け、前記岩石層５の周囲若しくは前記岩石層５内に前記ミネラルミスト発生機構３により発生したナノメーターサイズのミネラルミストを風呂空間２に放出するミスト放出部４を設けたことを特徴とする請求項１〜６のいずれか１項に記載の薬石風呂に係るものである。
【００１５】
また、前記岩石層５の上部若しくは内部に、プライオゾーアを含有したアラゴナイト，シリコン及び前記岩石１から成る混合物を配設したことを特徴とする請求項７記載の薬石風呂に係るものである。
【００１６】
また、前記風呂空間２の床部に敷設した岩石１にアース線７を付設したことを特徴とする請求項１〜８のいずれか１項に記載の薬石風呂に係るものである。
【発明の効果】
【００１７】
本発明は上述のように構成したから、ミネラルを含んだミストを放出することができ、しかも、そのミネラルミストはナノメーターサイズであるため、体内にミネラルを非常に良好に吸収でき、更に、ミネラルミストには岩石から放射されるサーマルウェーブのエネルギーが付与されているため、ミネラル及びサーマルウェーブによる種々の秀れた効能を得ることができる、これまでにない画期的な薬石風呂となる。
【００１８】
また、請求項２記載の発明については、風呂空間とは別の部位でミネラルミストを生成して風呂空間に効率良く放出して前記作用効果をより一層良好に発揮することができる極めて実用性に秀れた薬石風呂となる。
【００１９】
また、請求項３記載の発明については、有機酸若しくは無機酸により岩石からミネラルを化学的に抽出することができ、これにより、岩石からミネラルを効率良く抽出してミネラルを豊富に含むミネラル液を得られることとなり、この際、有機酸若しくは無機酸の種類を選択して使用することで、異なるミネラルを岩石から抽出することができる極めて実用性に秀れた薬石風呂となる。
【００２０】
また、請求項４記載の発明については、例えば、所定の複数種類の岩石から所定のミネラル液を得ることができ、これにより、目的に応じて、ミネラルミストの種類を選択することができ、この際、有機酸若しくは無機酸の種類を選択して使用することで、岩石から異なるミネラルを抽出することができる。
【００２１】
また、熱効果のある波動、即ち、電磁波の遠赤外線の一部であるサーマルウェーブが放出される複数種類の岩石を選択して組み合わせて使用することで、岩石同士の拮抗作用により、岩石によって異なるサーマルウェーブ放射を平均化でき、これにより、特定の岩石から特定のサーマルウェーブ放射されることを防止して、前記サーマルウェーブ放射をバランス良く放射することができる極めて実用性に秀れた薬石風呂となる。
【００２２】
また、請求項５記載の発明については、岩石層上の風呂空間にミネラルミストを良好に放出して満たすことができ、また、岩石層内にミスト放出部を設けた場合には、このミスト放出部から放出されたミネラルミストは岩石層内を通過して風呂空間に放出されることとなり、この際、ミネラルミストは岩石層を構成する岩石のミネラルと接触してこれを更に吸収でき、これによりミネラルを豊富に含んだ状態で、風呂空間に放出することができる。
【００２３】
また、岩石層を通過して風呂空間に放出される際に、岩石層を構成する岩石のサーマルウェーブの放射エネルギーをミネラルミストが吸収して、この放射エネルギーとミネラルのエネルギーとを重ね合わせた重畳エネルギーを有した状態のミネラルミストを風呂空間に放出でき、これにより、より一層良好な作用効果が得られる極めて実用性に秀れた薬石風呂となる。
【００２４】
また、請求項６記載の発明については、加熱機構によって岩石層を温めることができ、これにより、例えばミスト放出部から放出されたミネラルミストが一部凝結して風呂空間の床面に落下した際、加熱機構により加熱された岩石の熱によってミネラルミストを蒸発させることができ、これにより、風呂空間を蒸気で満たすことができる。
【００２５】
また、加熱機構によって岩石層を加熱することで、この岩石層を構成する岩石からサーマルウェーブを一層良好に放射することができる極めて実用性に秀れた薬石風呂となる。
【００２６】
また、請求項７記載の発明については、加熱機構を簡易に実現でき、また、岩石層を満遍なく良好に温めることができる極めて実用性に秀れた薬石風呂となる。
【００２７】
また、請求項８記載の発明については、アラゴナイト中のカルシウムを安定化でき、これにより、物性のマイナス要因を取り除くことができ、これにより、ミネラルによる人体に対する効能をより良好に発揮することができる極めて実用性に秀れた薬石風呂となる。
【００２８】
また、請求項９記載の発明については、岩石の電位と地面の電位との間に電位差が生じないようにでき、これにより、静電気を除去すると症状が和らぐことが知られている喘息の人やアレルギー性疾患の人の症状を和らげることができる。また、岩石が地面と同じ電位の状態において、ミネラル成分を体内に取り入れることで、ミネラルの効能をより良好に得ることができ、即ち、相乗効果によって秀れたミネラルによる効能を得ることができる極めて実用性に秀れた薬石風呂となる。
【発明を実施するための最良の形態】
【００２９】
好適と考える本発明の実施形態（発明をどのように実施するか）を、図面に基づいて本発明の作用を示して簡単に説明する。
【００３０】
ミネラルミスト発生機構３において、岩石１から抽出して得たミネラル液に、高温，高圧の蒸気を接触させると、ミネラルを核とするナノメーターサイズのミストが発生する。
【００３１】
即ち、前記ミネラル液は、このミネラル液を構成する単位粒子（水分子が複数引き合って成るかたまり（クラスター））の大きさが水中においてナノメーターサイズとなっており、このミネラル液に高温，高圧状態の蒸気を接触させてミスト化することで、ナノメーターサイズのミネラルミストが風呂空間２に放出されることとなる。
【００３２】
また、風呂空間２の底部に敷設された岩石１からはサーマルウェーブ（熱効果のある波動。電磁波の遠赤外線の一部を指す。）が放射されており、これにより、岩石１上にミネラルミストを放出すると、このミネラルミストはサーマルウェーブの作用を受けてミネラルのエネルギーとサーマルウェーブの放射エネルギーとが共に付与されたエネルギー状態の高いミストになることとなる。
【００３３】
従って、ミネラルミストはナノメーターサイズという非常に小さい粒子であるため、体内に非常に吸収され易く、これにより、体内にミネラルを非常に効率良く吸収でき、更に、このミネラルミストは、前述のように、ミネラルのエネルギーとサーマルウェーブのエネルギーとが共に付与されたエネルギー状態の高いミストであるため、このミネラルミストが体内に吸収されることで、前記ミネラルのエネルギー及び前記サーマルウェーブのエネルギーの作用によって各種器官，神経系，表皮の新陳代謝をすこぶる旺盛にできることとなる。
【００３４】
また、ミネラルミストは前述のようにナノメーターサイズという非常に小さい粒子であるため、体内に取り込まれると皮膚の表皮の深部に達してこの深部に働きかけ、皮脂腺からの発汗を急速に促進できることとなる。
【００３５】
また、ミネラルミストが体内に吸収されると、このミネラルが体内中の酵素を活性化し、この点からも、内臓や各器官の働きを活性化して代謝活動を促進できることとなる。
【００３６】
また、ミネラルミストが体内に取り込まれると、このミネラルが神経系に対しても作用して例えば患部の痛みを和らげることができることとなる。
【００３７】
また、ミネラルミストが頭部から吸収されると、頭の疲れが急速に癒されることとなる。
【００３８】
以上、本発明は、従来に比して発汗を極めて良好に促進でき、また、岩石を構成するミネラルを岩石から放射されるサーマルウェーブの放射エネルギーと共に体内に良好に吸収して前記ミネラルのエネルギー及び前記サーマルウェーブの放射エネルギーの作用による秀れた種々の効能を非常に効率良く得ることができる画期的な薬石風呂となる。
【００３９】
また、例えば、前記床部に敷設した岩石１とは別に備えた岩石１からミネラル成分を抽出して前記ミネラル液を得るように構成すれば、風呂空間２とは別の部位でミネラルミストを生成して風呂空間２に効率良く放出して前記作用効果をより一層良好に発揮できることとなるなど、一層実用的となる。
【００４０】
また、例えば、前記岩石１を有機酸若しくは無機酸に接触させることで、前記岩石１からミネラルを抽出して前記ミネラル液を得る構成とすれば、有機酸若しくは無機酸により岩石１からミネラルを化学的に抽出することができ、これにより、岩石１からミネラルを効率良く抽出してミネラルを豊富に含むミネラル液を得られることとなる。
【００４１】
また、この際、有機酸若しくは無機酸の種類を選択して使用することで、異なるミネラルを岩石１から抽出できることとなるなど、一層実用的となる。
【００４２】
また、例えば、前記岩石１を複数種類の岩石１で構成し、これら複数種類の岩石１を選択して組み合わせて前記有機酸若しくは無機酸に浸すことで、異なるミネラルを含有したミネラル液を得るように構成すれば、例えば、所定の複数種類の岩石１から所定のミネラル液を得ることができ、これにより、目的に応じて、ミネラルミストの種類を選択できることになる。
【００４３】
また、この際、有機酸若しくは無機酸の種類を選択して使用することで、岩石１から異なるミネラルを抽出できることとなるなど、一層実用的となる。
【００４４】
また、岩石１からは、前述のように、熱効果のある波動、即ち、電磁波の遠赤外線の一部であるサーマルウェーブが放出されており、複数種類の岩石１を選択して組み合わせて使用することで、岩石１同士の拮抗作用により、岩石１によって異なるサーマルウェーブ放射を平均化でき、これにより、特定の岩石１から特定のサーマルウェーブのみが放射されることを防止して、前記サーマルウェーブ放射をバランス良く放射できることとなるなど、一層実用的となる。
【００４５】
また、例えば、前記風呂空間２の床部に前記岩石１を層状に配設した岩石層５を設け、前記岩石層５の周囲若しくは前記岩石層５内に前記ミネラルミスト発生機構３により発生したナノメーターサイズのミネラルミストを風呂空間２に放出するミスト放出部４を設ければ、岩石層５上の風呂空間２にミネラルミストを良好に放出して満たすことができ、また、岩石層５内にミスト放出部４を設けた場合には、このミスト放出部４から放出されたミネラルミストは岩石層５内を通過して風呂空間２に放出されることとなり、この際、ミネラルミストは岩石層５を構成する岩石１のミネラルと接触してこれを更に吸収でき、これによりミネラルを豊富に含んだ状態で、風呂空間２に放出できることとなる。
【００４６】
また、岩石層５を通過して風呂空間２に放出される際に、岩石層５を構成する岩石１のサーマルウェーブの放射エネルギーをミネラルミストが吸収して、この放射エネルギーとミネラルのエネルギーとを重ね合わせた重畳エネルギーを有した状態のミネラルミストを風呂空間２に放出でき、これにより、より一層良好な作用効果が得られることとなるなど、一層実用的となる。
【００４７】
また、例えば、前記風呂空間２に、前記岩石層５を構成する岩石１を加熱する加熱機構６を設ければ、加熱機構６によって岩石層５を温めることができ、これにより、例えばミスト放出部４から放出されたミネラルミストが一部凝結して風呂空間２の床面に落下した際、加熱機構６により加熱された岩石１の熱によってミネラルミストを蒸発させることができ、これにより、風呂空間２を蒸気で満たせることとなる。
【００４８】
また、加熱機構６によって岩石層５を加熱することで、この岩石層５を構成する岩石１からサーマルウェーブを一層良好に放射できることとなるなど、一層実用的となる。
【００４９】
また、例えば、前記加熱機構６として床暖房を採用すれば、加熱機構６を簡易に実現でき、また、岩石層５を満遍なく良好に温められることとなるなど、一層実用的となる。
【００５０】
また、例えば、前記岩石層５の上部若しくは内部に、プライオゾーアを含有したアラゴナイト，シリコン及び前記岩石１から成る混合物を配設すれば、アラゴナイト中のカルシウムを安定化でき、これにより、物性のマイナス要因を取り除くことができ、これにより、ミネラルによる人体に対する効能をより良好に発揮できることとなるなど、一層実用的となる。
【００５１】
また、例えば、前記風呂空間２の床部に敷設した岩石１にアース線７を付設すれば、岩石１の電位と地面の電位との間に電位差が生じないようにでき、これにより、静電気を除去すると症状が和らぐことが知られている喘息の人やアレルギー性疾患の人の症状を和らげることができる。また、岩石１が地面と同じ電位の状態において、ミネラル成分を体内に取り入れることで、ミネラルの効能をより良好に得ることができ、即ち、相乗効果によって秀れたミネラルによる効能を得ることができることとなるなど、一層実用的となる。
【実施例】
【００５２】
本発明の具体的な実施例について図面に基づいて説明する。
【００５３】
本実施例は、床部に岩石１を敷設した風呂空間２にミネラルを含有したミストを放出し得るように構成した薬石風呂に関するもので、岩石１からミネラルを抽出して得たミネラル液に高温，高圧の蒸気を接触させることで前記ミネラルを含有したナノメーターサイズのミストを発生させるミネラルミスト発生機構３を備え、このミネラルミスト発生機構３から発生したナノメーターサイズのミネラルミストを風呂空間２に放出し得るように構成した薬石風呂に係るものである。
【００５４】
尚、風呂空間２には、ナノメーターサイズのミネラルミスト以外にも、当然ながら、ミネラルミスト同士が凝集したナノメーターサイズ以上のミネラルミストも存在する。
【００５５】
本実施例は、図１に示すように、風呂空間２の床部に床暖房６を配設し、この床暖房６の上部に複数種類の岩石１を敷設して岩石層５を形成し、この岩石層５の周囲にミネラルミストを導通するミスト導通管８を配設し、このミスト導通管８に設けたミスト放出部４から、ミネラルミスト発生機構３により生成したミネラルミストを風呂空間２に放出する構成となっている。
【００５６】
尚、図中符号12は床コンクリート，符号13は断熱材（例えば暖熱スタイロホーム等）を示している。
【００５７】
本実施例における岩石１とは、造岩鉱物の酸化ケイ素の正四面体構造に歪みを生じている岩石（以下、薬石という。）と、前記酸化ケイ素の正四面体構造に歪みを生じていない岩石（以下、一般岩石。）の双方を示すものである。
【００５８】
即ち、例えば火成岩は酸化ケイ素を必ず含み、その結晶構造は正四面体構造を有し、前記酸化ケイ素は、この正四面体構造の中心に位置しているが、この火成岩は、生成時に結晶そのものが変化しない程度の応力を受け、前記正四面体構造がある程度歪んだ状態となることがある（これが薬石１となる。）。そして、この薬石１を粉末Ｘ線装置で観測すると最強Ｘ線のピークがシャープではなく、広がりをみせた状態となり、これにより、応力の結果歪みを生じ、また、その際に大きなエネルギーが蓄えられていることが確認できる。この大きなエネルギーが蓄えられた岩石１が薬石１である。
【００５９】
薬石１としては、緑色凝灰岩，変成流紋岩，流紋岩，花崗斑岩，花崗岩，角閃岩を採用している。
【００６０】
一般岩石１としては、アルカリ玄武岩，橄欖岩，トルマリン，方解石，那智黒石，金華砂利を採用している。
【００６１】
本実施例では、岩石１として、６種類の薬石１及び６種類の一般岩石１の合計１２種類の岩石を採用したが、これら１２種類の岩石以外にも、本実施例の作用効果を発揮することができる薬石若しくは一般岩石であれば、適宜採用しても良い。
【００６２】
また、本実施例におけるミネラルとは、元素単体を示すものではなく、岩石の構成鉱物を示すものである。即ち、いくつかの元素からなる構造をもった鉱物そのものを示すものである。
【００６３】
ミネラルミスト発生機構３は、図２に示すように、前述した複数種類の薬石１及び一般岩石１からミネラルを抽出するミネラル抽出部９と、このミネラル抽出部９で抽出したミネラル液（図２中矢印ｃ）を水で薄めて適当濃度とすると共に高温，高圧の水蒸気（図２中矢印ａ）と接触させてミネラルミスト（図２中矢印ｂ）を発生させるミスト発生部10と、ミスト発生部10に高温，高圧の水蒸気を供給するボイラー部11とから成り、前記ミスト発生部10には前記ミスト導通管８を連結してこのミスト導通管８を介してミネラルミストを風呂空間２に放出できる構成となっている。
【００６４】
即ち、本実施例は、風呂空間２の床部に敷設する岩石１と、ミネラルを抽出するミネラル抽出部９に配設される岩石１とを、ともに前述の１２種類の岩石群から選択して組み合わせて使用している。
【００６５】
ミネラル抽出部９は、複数種類の薬石１及び一般岩石１を有機酸溶液若しくは無機酸溶液に浸すことで、薬石１等からミネラルを抽出できるように構成している。
【００６６】
例えば、この場合、有機酸溶液若しくは無機酸溶液を入れた所定容器内に薬石１及び一般岩石１を浸すことで、薬石１等からミネラルを抽出してミネラル液を得る。この際、薬石１等を砕いて有機酸溶液等に浸してミネラル液を生成しても良い。
【００６７】
本実施例では、有機酸の一種であるクエン酸及びリンゴ酸を用いて、このクエン酸及びリンゴ酸溶液に薬石１等を浸してミネラルを化学的に抽出しミネラル液を得る。
【００６８】
また、この際、複数種類の岩石１等の中から所定の薬石１及び一般岩石１を選択して組み合わせて使用することにより、クエン酸及びリンゴ酸溶液によって抽出されるミネラルの種類を変えることができる。即ち、所望のミネラルを含有したミネラル液を得たい場合には、この所望のミネラルを抽出し得る薬石１及び一般岩石１を選択して組み合わせ、この組み合わせた薬石１等をクエン酸及びリンゴ酸溶液に浸すことで前記所望のミネラルを抽出できる。
【００６９】
ミネラル抽出部９とミスト発生部10とをミネラル液導通管15により連結し、ミネラル抽出部９で生成したミネラル液を必要に応じてミスト発生部10に供給し得るように構成している。
【００７０】
また、ミスト発生部10には、ミスト発生部10内に水を供給する供給手段（図示省略）を設け、これにより、ミネラル抽出部９で生成したミネラル液を適当濃度に薄められるように構成している。
【００７１】
また、ミスト発生部10には、高温，高圧の蒸気を発生するボイラー部11を蒸気導通管14を介して連結し、このボイラー部11で発生した蒸気を前記ミスト発生部10内のミネラル液に接触し得るように構成している。
【００７２】
本実施例では、ボイラー部11として市販のボイラー機を採用している。
【００７３】
また、本実施例では、図２に示すように、前記蒸気導通管14の端部を前記ミスト発生部10のミネラル液中に配設し、この蒸気導通管14からミネラル液内に蒸気を導出することで、前記蒸気とミネラル液とを接触させる構成としている。
【００７４】
単位粒子の大きさがナノメーターサイズとなっているミネラル液に、高温（およそ１３０℃〜１５０℃）・高圧（およそ５ｋｇ／ｃｍ2）の蒸気を接触させることで、ナノメーターサイズのミネラルミストを低温（およそ１００℃）・微圧（０ｋｇ／ｃｍ2〜０．０７ｋｇ／ｃｍ2）の状態で発生させることができる。
【００７５】
この際、例えば前記高温・高圧の状態で風呂空間２にミネラルミストを放出する場合に比して、およそ一割の蒸気（ミネラルミスト）を補充した状態で風呂空間２に供給することができる。
【００７６】
これは、高温高圧蒸気は分子運動が盛んで、直接噴射しても表面で跳ね返る（完全弾性衝突をする）ので、所定空間中の被加温物質の内部まで浸透しにくい。この点、ミスト発生部10において高温高圧蒸気をミネラル液に接触させて低温微圧状態のミネラルミストを発生させると、高温高圧蒸気の顕熱が放出されて約１０％（初期蒸気の圧力，温度の状態によって異なる）新たな蒸気が発生されるためである。この蒸気は低温微圧で被加温物質内部まで浸透する。
【００７７】
また、高温・高圧の蒸気を、ミネラル液に接触させて所謂二次的にナノメーターサイズのミネラルミストを放出する本実施例においては、このミネラルミストを比較的低温・微圧の状態で生成でき、これにより、風呂空間２が広い空間であってもこの風呂空間２を均一な温度・湿度状態に保つことができることを、本出願人は確認している。即ち、例えば高温・高圧状態のミネラルミストを風呂空間に放出した場合には、風呂空間を均一な温度，湿度状態で保つことが困難であることが知られている。
【００７８】
ミスト発生部10と風呂空間２とをミスト導通管８で連結し、このミスト導通管８を介してミネラルミストを風呂空間２に放出し得る構成としている。
【００７９】
尚、ミネラル抽出部９で生成したミネラル液をミスト発生部10において適当濃度に薄めるのは、ミネラル抽出部９で抽出されたミネラル液は、例えばそのまま飲用した場合には腹を壊してしまうほどミネラルの濃度が高いためである。
【００８０】
風呂空間２の床部に配設した床暖房６は、図１に示すように、配管保護コンクリート６Ａ内に床暖房用強化ポリ管６Ｂを配設した構成とし、この床暖房用強化ポリ管６Ｂ内に不凍液を循環させることで岩石層５を加熱するように構成している。
【００８１】
岩石層５の上部若しくは内部に、プライオゾーアを含有したアラゴナイト，シリコン及び前記岩石１から成る混合物を配設した構成としている。
【００８２】
尚、ブライオゾーアとは、１０００万年〜２５００万年前に原生していた苔虫類の化石のことであり、また、アラゴナイトとは、炭酸カルシウム（ＣａＣＯ3）を成分とし、柱状結晶が放射状に伸びた鉱物のことである。
【００８３】
本実施例では、岩石層５の内部にプライオゾーアを含有したアラゴナイト，シリコン及び前記岩石１から成る混合物（図示省略）を配設している。
【００８４】
前記混合物を配設したのは、例えば方解石は、生体反応におけるカルシウムの役割を担う上で重要な岩石であるが、高湿度の状態が続くと水との反応で方解石の構造が変化し、固有の放射エネルギーを安定化させることが困難となる問題点を有する。そこで、１０００万年〜２５００万年以前に生息したブライオゾーアを含有したアラゴナイトとシリコンとを混合し、そこに緑色擬灰岩や薬石類を更に混合して固めた混合物を配設すると、アラゴナイト中のカルシウムを安定化して前記問題点を解決できるためである。また、このアラゴナイトは他の物性のマイナス要因を取り除くことができることを、魚礁で確認済みである。
【００８５】
前記岩石１にはアース線７を付設している。
【００８６】
具体的には、図１に示すように、岩石層５と床暖房６との間にアース線７を配設した構成としている。
【００８７】
このアース線７は、岩石層５の底面部に配設することが望ましい。即ち、アース線７を岩石層５の底面部に配設することで、極めて良好に岩石層５の電位と地面の電位とを同じ電位にすることができる。
【００８８】
本実施例の薬石風呂は、風呂空間２の温度がおよそ４３℃〜４６℃，湿度がおよそ６５％〜８０％となるように制御されている。
【００８９】
本実施例は上述のように構成したから、ミネラルを核とするナノメーターサイズのミストを生成してこのナノメーターサイズのミネラルミストを風呂空間２に放出して風呂空間２を均一の温度・湿度状態とし、これにより、ミネラルミストを体内に極めて良好に取り入れてミネラルの種々の効能を得ることができる。
【００９０】
即ち、従来のミストサウナや石風呂で見られるミストは、本実施例のミネラルミストに比してミスト粒子が大きく、また、ミネラル成分は含まれていないため、蒸気の熱によってある程度の発汗を促すことはできても、本実施例のようにミネラルを体内に効率良く取り込むことはできないといえる。
【００９１】
この点、本実施例は、ミストの大きさがナノメーターサイズであり、且つ、核にミネラルを有しているため、体内にミネラルを非常に効率良く取り込むことができ、更に、このミネラルミストには岩石１から放射されるサーマルウェーブのエネルギーが吸収されているため、ミネラルとサーマルウェーブによる種々の効能を極めて良好に得ることができる。
【００９２】
また、風呂空間２の底部に岩石層５を加熱するための床暖房６を設けたことで、この床暖房６で岩石層５を加熱して前記１２種類の岩石１から一層良好に放射されたサーマルウェーブを前記ミネラルミストに吸収させて、岩石１の放射エネルギーとミネラルのエネルギーとを重ね合わせた重畳エネルギーを有した状態で体内に吸収させることができ、これにより、人体の各種の器官，神経系，表皮の新陳代謝が頗る旺盛となる。
【００９３】
また、ミネラルミストが体内に吸収されると、ミネラルの作用により、体内の酵素が活性化され、これにより、体の免疫力を向上させることができる。
【００９４】
また、ミネラルミストが体内に吸収されると、ミネラルが表皮の深部に働きかけて発汗を促進し、これにより、従来のミストサウナや石風呂では得られないような発汗効果を得ることができる。
【００９５】
また、ミネラルミストが体内に吸収されると、ミネラルが神経系に作用して、患部の痛みを和らげることができる。
【００９６】
また、本実施例では、岩石層５の内部にプライオゾーアを含有したアラゴナイト，シリコン及び前記岩石１から成る混合物を配設することで、岩石１固有の放射エネルギーを安定化して安定的に放射エネルギーによる効果を得ることができ、また、アラゴナイトの作用により、人体のマイナス要因を取り除くことができるなど、秀れた効果を得ることができる。
【００９７】
また、岩石層５と床暖房６との間にアース線７を配設したため、岩石層５の電位を地面の電位と同じ電位に保つことができ、これにより、静電気を除去すると症状が和らぐことが知られている喘息の人やアレルギー性疾患の人の症状を和らげることができる。
【００９８】
また、本実施例では、ミネラル抽出部９においてミネラル抽出のための有機酸溶液若しくは無機酸溶液を選択して使用することで、抽出するミネラルの種類を変えることができる。
【００９９】
本実施例においては、有機酸の一種であるクエン酸及びリンゴ酸を用いてミネラルを抽出しているが、このクエン酸及びリンゴ酸により岩石１から抽出したミネラルを核とするミネラルミストが人体に触れたり呼吸によって肺に取り込まれると、クレブスサイクル（トリカルボン酸回路）がスムーズに進行する。
【０１００】
尚、クレブス回路（クエン酸回路、トリカルボン酸回路ともいう。）とは、ブドウ糖が分解されて出来たピルビン酸が、完全に酸化されてエネルギーを得る回路のことをいい、多くの生物に広く存在し、生体物質の生合成系として重要な役割を果たしている。
【０１０１】
また、ミネラル抽出部９において使用するミネラル抽出のための岩石１を選択して組み合わせて使用することで、抽出されるミネラルの種類を選択して目的に応じた所望のミネラルを核とするミネラルミストを風呂空間２に放出することができる。
【０１０２】
また、一般岩石の持つ構造体としてのエネルギーや構成元素群のエネルギーだけでも薬石風呂として良好な作用効果を得ることができるが、人によっては（例えば重度の心疾患，高血圧，脳梗塞等の患者に対しては）、適，不適の人が出てくることが考えられる。この点、薬石を加えることでその歪みエネルギーを取り込むことによってあらゆる人に対応できることが判明した。即ち、本出願人は、薬石と一般岩石とをある割合で組み合わせることで、種々の疾病に選択的に作用させることができることを見い出した。
【０１０３】
以上、本実施例の薬石風呂に入ると、前記作用効果により、疲労回復は勿論、免疫力が向上し、冷え性，風邪，喘息，アトピー，花粉症，ぎっくり腰，痛風等に即効的に作用する。
【０１０４】
また、肌が急速に若返るため、秀れた美肌効果を発揮することができる。
【０１０５】
以下、本実施例について更に詳説する。
【０１０６】
本実施例のミネラル抽出部９において生成されるミネラル液の一単位粒子（水分子が複数引き合って成る固まり（クラスター））の大きさは、水中においておそよナノメーターサイズとなっており、このナノメーターサイズのミネラル液に対してボイラー部11から発生した高温・高圧の蒸気を接触させると、単位粒子の大きさがナノメーターサイズのミネラルミストが生成されることとなり、このナノメーターサイズのミネラルミストを風呂空間２に放出することで前述した種々の作用効果が発揮される。
【０１０７】
本実施例のミスト発生部10から発生するミネラルミストがナノメーターサイズであることの根拠は、例えば風呂空間２を掃除する場合等に、この風呂空間２内の空気を冷たい外気と入れ替えようとして風呂空間２の温度がやや下がった際、風呂空間２が微小なミストで満たされていることを確認した。これは、風呂空間２の温度が降下することで飽和蒸気圧が減少し、ナノメーターサイズのミスト同士が凝結して粒子が大きくなり、これにより、肉眼でも視認することが可能となったものと考えられる。これにより、ミスト放出部４から風呂空間２に放出されたミネラルミストはナノメーターサイズであるといえる。
【０１０８】
本実施例の薬石風呂に入った場合の特徴のひとつとして、汗の質に明確な差が生ずることがあげられる。
【０１０９】
即ち、従来の石風呂に入った時にでる最初の汗は非常にねばねばしており、４〜５回出たり入ったりを繰り返すと、汗はさらさらの状態となる。これに対し、本実施例の薬石風呂は、最初にでる汗は従来の石風呂と同様、ねばねばしているが、２〜３回目で汗はさらさらの状態となる。
【０１１０】
これにより、体の浄化速度が、岩石１の種類やミストの質に依存していることを示しているといえる。
【０１１１】
また、汗の表面張力について調べたところ、従来の石風呂の場合、初回と２回目以降の表面張力の差は１０ｄｙｎ／ｃｍであるのに対して本実施例のミネラルミストの場合には、初回と２回目以降の表面張力の差は５ｄｙｎ／ｃｍ〜６ｄｙｎ／ｃｍであり、従来の石風呂に比して小さいことが確認された。
【０１１２】
このことは、本実施例のミネラルミストの方が代謝活動は旺盛で体の復元力が早いことを示している。
【０１１３】
また、夜トイレに行く回数を一晩で比較すると、従来の石風呂と本実施例の薬石風呂とでは、薬石風呂の方が１回〜２回多くなる。
【０１１４】
これは、内臓や各器官の代謝活動の差を表したものと考えることができる。
【０１１５】
従って、本実施例の薬石風呂に入ることで発生する汗は、従来の石風呂に入って発生する汗とは明らかにその質が異なっており、よって、この点からも、本実施例はミネラルミストが極めて良好に体内に吸収され、ミネラルの秀れた効能を得ることができる極めて秀れた薬石風呂であるといえる。
【０１１６】
また、本実施例の岩石１から放射されるサーマルウェーブについて述べれば、前述のように、薬石１と一般岩石１とを組み合わせて岩石層５を設けることで、岩石１の種類によって異なるサーマルウェーブ放射（遠赤外線放射）の強いピークが抑えられ（拮抗作用）、平均的にサーマルウェーブが放射される状態にすることができる。例えば、橄欖岩や角閃石はかなり強いエネルギーを放射するが、これを特殊な花崗岩や薬石群でソフトにすることができる。
【０１１７】
また、ミネラル抽出部９における薬石１及び一般岩石１についても、複数種類の薬石１及び一般岩石１を組み合わせて使用することで、所定の岩石１から特定のミネラルだけが多量に抽出されることが抑えられ（拮抗作用）、種々の岩石１から様々なミネラルを平均的に抽出することができることになる。
【０１１８】
尚、本発明は、実施例に限られるものではなく、各構成要件の具体的構成は適宜設計し得るものである。
【図面の簡単な説明】
【０１１９】
【図１】本実施例の風呂空間２内を示す説明斜視図である。
【図２】本実施例のミネラルミスト発生機構を示す説明図である。
【符号の説明】
【０１２０】
１  岩石
２  風呂空間
３  ミネラルミスト発生機構
４  ミスト放出部
５  岩石層
６  加熱機構，床暖房
７  アース線
【図１】
2005237826.tif 000003
【図２】
2005237826.tif 000004